Podtech/llm-jp-corpus-v4-ja_patent huggingface dataset:
(57)【要約】【課題】  二足歩行ロボットの移動しながらバランスをとる技術【解決手段】  二足歩行ロボットをわずかに浮上させることで、足の裏にかかる重量をゼロにし重心をぐらつかせず脚部への姿勢制御のための負担を減らし、スムーズに歩行することを可能にする。そのためには空気を押し出すプロペラではなく、飛行機のハネのように気圧の差（揚力）を効率よく利用して飛行できる二種類の迎角のブレードを持つプロペラを組み込む。【選択図】図１
2009165788.tif 000002
【特許請求の範囲】
【請求項１】
二足歩行ロボットを倒れさせず安全に歩行させるために、ホバーリングしながら歩行させる。しかしホバーリングさせるには空気を大量に噴出させ、その反動で浮上せねばならず、そのような装置をロボットに組み込むのは現実的でない（例えばヘリコプターのハネをいつも回転させているロボットや、ジェットエンジンをいつも噴射させているロボット）。
そこで本発明はロボットの内部に組み込めて比較的小型で空気をあまり噴出させないプロペラを考案した。これは図１〜３のように同一プロペラ内に２種類の迎角のブレード（ハネ）を交互に配列し、回転させることによってブレード上に効率的に気圧の差を生じさせ、その時発生する揚力によって浮上するプロペラで、これを図５、６のように設置することによりロボットの姿勢を維持することをめざしたものである。
またプロペラの回転数を上げれば飛行することも可能である。
【発明の詳細な説明】
【技術分野】
【０００１】    本発明は二足歩行ロボットの姿勢制御装置及び飛行装置に関する
【背景技術】
【０００２】
【発明の開示】
【発明が解決しようとする課題】
【０００３】    これまでの二足歩行ロボットの姿勢制御はジャイロセンサーによってロボットの脚部のみでバランスをとっているため、移動しながらバランスを保つ事が難しかった。また飛行する事も出来ない。
【課題を解決するための手段】
【０００４】    二足歩行ロボットを倒れさせず安全に歩行させるために、ホバーリングしながら歩行させる。しかしホバーリングさせるには空気を大量に噴出させ、その反動で浮上せねばならず、そのような装置をロボットに組み込むのは現実的でない（例えばヘリコプターのハネをいつも回転させているロボットや、ジェットエンジンをいつも噴射させているロボット）。
そこで本発明はロボットの内部に組み込めて比較的小型で空気をあまり噴出させないプロペラを考案した。これは図１〜３のように同一プロペラ内に２種類の迎角のブレード（ハネ）を交互に配列し、回転させることによってブレード上に効率的に気圧の差を生じさせ、その時発生する揚力によって浮上するプロペラで、これを図５、６のように設置することによりロボットの姿勢を維持することをめざしたものである。
またプロペラの回転数を上げれば飛行することも可能である。
【発明の効果】
【０００５】    姿勢制御と歩行を別々に分けてプログラミングすることが出来、また姿勢制御はプロペラの回転数によればよく、プログラミングが格段に簡単になり操縦も容易になる。
ヘリコプターも揚力で飛行するが、本発明はブレードの迎角を二種類にすることにより通常のプロペラよりもブレード下面の圧力が高くなり、揚力を効率よく得られるので、ヘリコプターのように大型のハネを必要としない。
ロボットだけでなく飛行機への応用も可能。
平坦な道だけでなく、どんな道でも歩行可能。障害物があっても飛び越せる。
倒れにくいので人が乗って操縦するのも安全。
【発明を実施するための最良の形態】
【０００６】      図５、６のように二足歩行ロボットの腰部、背部、脚部に２対づつ本発明を組み込みジャイロセンサーと連動させて操縦する。背部のプロペラは可動式となっており進行方向へ向けることが出来る。動力源は電気を使用しモーターでプロペラを回す。各設置場所には通気口を開ける。
【産業上の利用可能性】
【０００７】
【図面の簡単な説明】
【０００８】
【図１】      本発明を示した斜視図である。
【図２】      本発明を横から見たのを示した平面図である。
【図３】      本発明の回転時の風の流れを示した平面図である。
【図４】      通常のプロペラの回転時の風の流れを示した平面図である。
【図５】      本発明をロボットの機体内部に組み込んだのを示した平面図である。
【図６】      本発明をロボットの機体内部に組み込んだのを横から見たのを示した平面図である。
【符号の説明】
【０００９】    １  迎角が二種類あるプロペラ
２  バッテリー
３  可動式の迎角が二種類あるプロペラ
【図１】
2009165788.tif 000003
【図２】
2009165788.tif 000004
【図３】
2009165788.tif 000005
【図４】
2009165788.tif 000006
【図５】
2009165788.tif 000007
【図６】
2009165788.tif 000008
(57)【要約】【課題】従来の背もたれ付の脚部折畳み式ベンチは、背もたれ部分を取り外して収納する組立式であるため、現地での取付作業を必要とするうえ、運搬、収納に意外に手間取るという欠点を有している。本発明は、上記の難点を解消し、設置、収納が容易で、しかもフォルムが美しく、環境にも優しい背もたれ付折畳みベンチを提供することを課題とする。【解決手段】脚部の折畳み機構を有する折畳みベンチに於いて、該ベンチの着座部構造体から奥行方向へ延設された支柱支持部に脱着自在に回動軸を設け、背もたれの支柱の下端近くに縦方向に穿たれた長孔に係合させ、着座部に重ね合わされた状態で収納された背もたれを９０度強回動して起こした後、下方に摺動させて該支柱下端を支柱支持部下部に設けた筒状部分に嵌合させることにより保持される背もたれの折畳み機構を備えた折畳みベンチを提供する。【選択図】図１
2009165790.tif 000002
【特許請求の範囲】
【請求項１】
収納時に脚部を折畳むことができる折畳みベンチに於いて、折畳み式である背もたれを一体的に備えたことを特徴とする折畳みベンチ
【請求項２】
着座部に重ね合わされて収納される背もたれの支柱の下端近くに縦方向に穿たれた長孔を、着座部構造体から奥行方向に延設した支柱支持部上部に設けた回動軸に係合させ、背もたれを９０度強回動して起こした後、下方に摺動させて、該支柱下端を支柱支持部下部に設けた筒状部分に収めることにより、背もたれが所定の角度で安定的に保持されることを特徴とする請求項１の折畳みベンチ
【発明の詳細な説明】
【技術分野】
【０００１】  本発明は、収納時にコンパクト化が容易な折畳みベンチであって、特に背もたれを一体的に備えた背もたれ付折畳みベンチに関するものである。
【背景技術】
【０００２】  脚部を折畳むことのできるベンチは、移設、運搬、収納が便利なため種々製造され公共施設等で多く使用されているが、より安楽に腰掛けることのできる背もたれを一体的に備えた折畳みベンチは未だ実現されていない。
【発明の開示】
【発明が解決しようとする課題】
【０００３】  従来の背もたれ付の脚部折畳み式ベンチは、背もたれ部分を取り外して収納する組立式であるため、現地での取付作業を必要とするうえ、運搬、収納に意外に手間取るという欠点を有している。本発明は、上記の難点を解消し、設置、収納が容易で、しかもフォルムが美しく、環境にも優しい背もたれ付折畳みベンチを提供することを課題とする。
【課題を解決するための手段】
【０００４】  脚部の折畳み機構を有する折畳みベンチに於いて、該ベンチの着座部構造体から奥行方向へ延設された支柱支持部に脱着自在に回動軸を設け、背もたれの支柱の下端近くに縦方向に穿たれた長孔に係合させ、着座部に重ね合わされて収納された背もたれを９０度強回動して起こした後、下方に摺動させて該支柱下端を支柱支持部下部に設けた筒状部分に嵌合させることにより保持される背もたれの折畳み機構を備えた折畳みベンチを提供する。
【発明の効果】
【０００５】    本発明の背もたれ付折畳みベンチは前述のごとく、背もたれと脚部とが着座部を介して一体的に構成され、且つ背もたれ及び脚部双方が折畳み機構を有するため、立設の際に工具を用いた取付作業を要せず迅速で確実な設置ができ、折畳み時には、背もたれは座部の上に重ね合わされ、脚部は着座部の下に折り込まれ、全体として略平板状にコンパクト化されるため、収納、運搬を容易ならしめる。
【発明を実施するための最良の形態】
【０００６】  ２本のバイオマスプラスチック製の背当板材を装着してなる背もたれの両端に設けられた支柱が、折畳み式の脚部を備えた着座部構造体の両端後方に延設された支柱支持部に回動自在に係合されることにより、背もたれ、着座部及び脚部が一体的に構成された背もたれ付折畳みベンチを最良の形態とする。
【実施例】
【０００７】  以下、本発明の最良の形態である実施例を図面に基づいて説明する。図１は本実施例の背もたれ付折畳みベンチ１の概略の構成を示す分解斜視図である。本実施例の背もたれ付折畳みベンチ１は大別して着座部２と背もたれ６と脚部１１とからなっている。【０００８】  図２は本実施例の背もたれ付折畳みベンチ１の立設した状態を示す斜視図であり、図３は脚部１１及び背もたれ６を折畳んだ収納状態を示す斜視図である。背もたれ６は両端の支柱７及び該支柱を繋ぐ２本の横渡し材からなる背もたれ構造体８に、２本のバイオマスプラスチック製の背当板材９が螺着された略平板状であり、支柱７の下端近くにはそれぞれ縦方向に貫通の長孔１０が穿たれている。【０００９】  着座部２を構成する着座部構造体３の両端はそれぞれやや後方に延ばされ、背もたれの支柱７を係合する支柱支持部４が、やや鈍角をなして一体的に設けられている。支柱支持部４は背もたれ６の支柱７に前側から被さるコの字型で、上方は開口部の対面部分が切り欠かれると共に回動軸５が脱着自在に設けられ、下方は開口部分が塞がれ筒状をなしている。【００１０】  第４図は背もたれ６の支柱７の端部と支柱支持部４との係合関係を表す断面詳細図であり、ａは収納時、ｂは立設途中、ｃは立設時の状態を示す。【００１１】  支柱支持部４の回動軸５に長孔１０を係合した背もたれの６の支柱７は、収納時には着座部２と平行をなして畳まれているが、立設には該回動軸５を支柱７下方の長孔１０の下端に当てた状態で背もたれ６全体を９０度強回転させ、支柱７の下端が支柱支持部４のコの字の内底に当接された状態で下方に長孔１０の距離を摺動させて支柱７の下端を支柱支持部４下部に設けられた筒状部分へ落とし込む。また、収納時には背もたれ６全体を上方へ持ち上げてから回転させることにより、着座部２の上に背当板材９を重ね合わせた状態で折畳まれる。【００１２】  脚部１１の折畳み機構については、本発明の出願人により先に出願された折畳みベンチ（特願２００６−３５７３３７）の技術であるのでここでは触れないが、着座部２を介して一体的に連係された本実施例の背もたれ付折畳みベンチ１は以上の構造により容易にコンパクトに折り畳め、また容易且つ堅固に所定の角度で立設できる。
【産業上の利用可能性】
【００１３】  本発明の背もたれ付折畳みベンチは、安楽に座ることのできる背もたれ付であるにも拘らず収納、設置の作業性にも優れ、また、環境にやさしいバイオマスプラスチックの板材と金属とからなり、廃棄時の分別も容易な構造であることから、幼稚園、学校、病院その他、公共施設に最適な備品ベンチとして広く取り入れられる可能性が高い。
【図面の簡単な説明】
【００１４】
【図１】本実施例の概略の構成を示す分解斜視図である。
【図２】本実施例の全体の立設状態を示す斜視図である。
【図３】本実施例の全体の折畳み状態を示す斜視図である。
【図４】本実施例の背もたれの支柱と支柱支持部との係合関係を示す断面図である。
【符号の説明】
【００１５】  １    背もたれ付折畳みベンチ
２    着座部
３    着座部構造体
４    支柱支持部
５    回動軸
６    背もたれ
７    支柱
８    背もたれ構造体
９    背当板材
１０    長孔
１１    脚部
【図１】
2009165790.tif 000003
【図２】
2009165790.tif 000004
【図３】
2009165790.tif 000005
【図４】
2009165790.tif 000006
(57)【要約】      （修正有）【課題】体の皮膚を挟んで、痛い、気持ちが良い等の刺激を起こし、そこに関連する脳等を活性化する為に、相当強い力で、腕や脚の付け根を刺激出来るより簡単なクランプを提供する。【解決手段】２枚のプラスチック板（大きな向き合った２面が、同心円状でベルト状）の一方を結束し、他方の先端を内側に曲げたクランプ（プラスチックの板自身をバネとして利用した物）。【選択図】図２
2009165786.tif 000002
【特許請求の範囲】
【請求項１】
体の皮膚を挟み、痛い、気持ちが良い等の刺激を起こし、そこに関連する脳等の活性をよくする目的の皮膚挟器に於いて、ベルト状の２枚の板状物を、片一方の端近くで結束し、他方の端部を、内側に曲げて、板状物のバネの力で、物を挟む様にした、バネ加圧器の製造方法。
【請求項２】
体の皮膚を挟み、痛い、気持ちが良い等の刺激を起こし、そこに関連する脳等の活性をよくする目的の皮膚挟器に於いて、ベルト状の２枚の板状物を、片一方の端近くで結束し、他方の端部を、内側に曲げて、板状物のバネの力で、物を挟む様にした、バネ加圧器の製造方法に於いて、ベルト状板のその横断面が、板状物の巾になっている向き合った面の横断面の図で現す線が、同心円の線（又は同心円に近い形）になっている、バネ加圧器の製造方法。
【請求項３】
体の皮膚を挟み、痛い、気持ちが良い等の刺激を起こし、そこに関連する脳等の活性をよくする目的の皮膚挟器に於いて、ベルト状の２枚の板状物を、片一方の端近くで結束し、他方の端部を、内側に曲げて、板状物のバネの力で、物を挟む様にした、バネ加圧器の製造方法に於いて、結束部の端から、挟み部の先端迄の長さを、１２ｃｍ〜１００ｃｍとする、バネ加圧器の製造方法。
【発明の詳細な説明】
【技術分野】
【０００１】  この発明は、健康を増進する器具の製造方法に関する。
【背景技術】
【０００２】  平成１９年１１月１９日、特許願０６３−４１に出願されている。【０００３】
【非特許文献１】  ［０００２］に出願された文献に、優れた効果が発表されている。
【発明の開示】
【発明が解決しようとする課題１】
【０００４】  ［０００３］の非特許文献の器具の使用方法の内、一番重要な使用方法に於いて簡単な構造で、コストの安い方法を、見つけれる様に思われていた。
【０００５】  本発明は、より構造の簡単な・強力な器具の発明であった。
【課題を解決する為の手段】
【０００６】  細長いベルト状プラスチック板（向き合った２つの面が同心円状）２枚の片一方の端部を結束し、他の端部を内側に曲げて、帯状の板部のバネの力で、ものを挟む様にした構造物に、全長の数拾％の帯部を、結束部に結束し、補強したバネ加圧器を作った
【発明の効果】
【０００７】  腕、脚の付け根を掴み、刺激をするのに、成長ホルモンが、１２％増えた。
【０００８】  上記［０００７］の方法で、夜間就寝中に尿意が起こらなくなった。
【０００９】  上記［０００７］の方法で、不眠症が治った。
【００１０】  上記［０００７］の方法で、目に力が出来て、視力が良くなり涙の状態がよくなった。
【００１１】  上記［０００７］の方法で、起こりがちであった頭痛が起こらなくなった。
【００１２】  上記［０００７］の方法で、起こりがちであった腰痛が起こらなくなった。
【００１３】  上記［０００７］の方法で、精力が強くなった。
【００１４】  上記［０００７］の方法で、前立腺炎が起こらなくなった。
【発明を実施する為の最良の形態】
【００１５】  実施例について図面を参照して説明すると、図１は、スプリング加圧器を正面から見た図であり、図２は、スプリング加圧器を斜め横から見た図であり、符号１は挟み部先端で、２は補強部で、３はナット、４は棒トウ、５は塩化ビニールテープで、６は結束部、７は同心円（半径１９ｍｍ、１５．５ｍｍ）の面を持つ硬質塩化ビニール帯状物である。
【図面の簡単な説明】
【図１】  スプリング加圧器の正面よりの図である。
【図２】  スプリング加圧器の斜め横から見た図である。
【符号の説明】
１  挟み部先端
２  補強部（７と同質）
３  ナット
４  棒トウ
５  塩化ビニールテープ
６  結束部
７  同心円の面を持つ硬質塩化ビニール帯状物
【図１】
2009165786.tif 000003
【図２】
2009165786.tif 000004
(57)【要約】【課題】Ｙシャツの両襟部分に装着するクリップとネクタイの中央部分に位置するペンダントトップをチェインによって繋ぎ合わせたファッションアクセサリーを提供する。【解決手段】チェインの両端にクリップを設け、Ｙシャツの両襟に装着し、更にチェインにペンダントトップを設けて、ネクタイの中央部分に位置させるアクセサリーを特徴とする。【選択図】図１
2009165789.tif 000002
【特許請求の範囲】
【請求項１】
チェインの両端にクリップを設け、Ｙシャツの両襟に装着し、更にチェインの中央部にペンダントトップを設けて、ネクタイの中央部分に位置させるアクセサリー。
【発明の詳細な説明】
【技術分野】
【０００１】この発明は、チェインの両端にクリップを設け、Ｙシャツの両襟に装着し、更にチェインの中央部にペンダントトップを設けて、ネクタイの中央部分に位置させるファッションアクセサリーに関するものである。
【背景技術】
【０００２】従来のアクセサリーには、クリップとペンダントトップをチェインで繋ぎ合わせたものはなかった。
【発明の開示】
【発明が解決しようとする課題】
【０００３】従来、Ｙシャツの両襟部分に装着するクリップとネクタイの中央部分に位置するペンダントトップをチェインによって繋ぎ合わせるアクセサリーはなかった。
本発明は、クリップ・ペンダントトップ・チェインの組み合わせから成る新たなアクセサリーである。
【課題を解決するための手段】
【０００４】チェインの両端にクリップを設け、Ｙシャツの両襟に装着し、更にチェインの中央部にペンダントトップを設けて、ネクタイの中央部分に位置させる。
本発明は、以上の構成によりなるクリップとペンダントトップのチェイニングアクセサリーである。
【発明の効果】
【０００５】チェインで繋ぎ合わされた、Ｙシャツの襟元に輝くクリップとネクタイの中央部に煌くペンダントップが、スーツスタイルの胸元に視線を集め、ファッション性を高めることができる。
【発明を実施するための最良の形態】
【０００６】以下、本発明を実施するための最良の形態について説明する。チェイン（１）の両端にクリップ（２）を設ける。更に、チェイン（１）の中央部にペンダントトップ（３）を設ける。チェイン（１）とクリップ（２）とペンダントトップ（３）は貴金属を使用し、場合により、クリップ（２）とペンダントトップ（３）には宝石等（４）を付属する。
それを使用する時は、Ｙシャツ（５）にネクタイ（６）を締めた状態で、チェイン（１）で繋ぎ合わされたクリップ（２）をＹシャツ（５）の両襟に装着し、ペンダントトップ（３）を、ネクタイ（６）の中央部分に位置させる。
【図面の簡単な説明】
【０００７】
【図１】本発明の正面図である。
【図２】本発明の側面図である。
【図３】本発明の平面図である。
【図４】本発明の底面図である。
【図５】本発明の背面図である。
【図６】本発明の使用状態を表す正面図である。
【図７】本発明の使用状態を表す背面図である。
【符号の説明】
【０００８】１  チェイン
２  クリップ
３  ペンダントトップ
４  宝石等
５  Ｙシャツ
６  ネクタイ
【図１】
2009165789.tif 000003
【図２】
2009165789.tif 000004
【図３】
2009165789.tif 000005
【図４】
2009165789.tif 000006
【図５】
2009165789.tif 000007
【図６】
2009165789.tif 000008
【図７】
2009165789.tif 000009
(57)【要約】      （修正有）【課題】傘を持って自転車を走行させる危険や、日傘を持って、草刈りや釣りをする危険を解決する。【解決手段】傘差し込み口１を中空とし、固定するために締めつけリング２を設け、傘の高さを調節するために、傘上下調節３を設け、締めつけて固定する。そして、上背の高低を調節するために、背丈調節４を設け、傘の前後の位置を調節するために、前後調節５を設け、前かがみになっても、背中が器具にあたらないようにするため、背あたり防止アールを設ける。そして、転倒したときの障害防止策として、防止アールを設け、器具を身体とー体とするため、肩バンド６、腹バンド７、胸バンド８を設ける。傘をショルダー器具に取りつけることにより、傘と身体がー体となり、この課題を解決する。【選択図】図１
2009165787.tif 000002
【特許請求の範囲】
【請求項１】
取っ手のない傘の柄を差し込むために、
傘差し込み口（１）を中空とし、固定するために締めつけリング（２）を設け、傘の高さを調節するために、傘上下調節（３）を設け、締めつけて固定する。
そして、上背の高低を調節するために、背丈調節（４）を設け、傘の前後の位置を調節するために、前後調節（５）を設け、前かがみになっても、背中が器具にあたらないようにするため、背あたり防止アール（９）を設ける。そして、転倒したときの障害防止策として、防止アール（１０）を設け、器具を身体と一体とするため、肩バンド（６）、腹バンド（７）、胸バンド（８）を設けた日傘ショルダー器具。
【発明の詳細な説明】
【技術分野】
【０００１】この発明は、傘を背中からさすための器具に関するものである。
【背景技術】
【０００２】従来、傘は手で持っているか、肩掛け器具で傘を支えていた。
【発明の開示】
【発明が解決しようとする課題】
【０００３】これは次ぎのような欠点があった。
（イ）傘を手で持って自転車走行すると、片手ハンドルによる危険があった。
（ロ）傘を肩掛け器具に取りつけて自転車走行すると、風の強い時、傘に受ける風抵抗が偏よりになるため、転倒の危険があった。
（ハ）炎天下で、傘を持って作業ができず、熱中症になりやすかった。
本発明は、以上のような危険性をなくすために、なされたものである。
【課題を解決するための手段】
【０００４】取っ手のない傘の柄を差し込むために、
傘差し込み口（１）を中空とし、固定するために締めつけリング（２）を設け、傘の高さを調節するために、傘上下調節（３）を設け、締めつけて固定する。
そして、上背の高低を調節するために、背丈調節（４）を設け、傘の前後の位置を調節するために、前後調節（５）を設け、前かがみになっても、背中が器具にあたらないようにするため、背あたり防止アール（９）を設ける。そして、転倒したときの障害防止策として、防止アール（１０）を設け、器具を身体とー体とするため、肩バンド（６）、腹バンド（７）、胸バンド（８）を設ける。
本発明は、以上のような構成よりなる日傘ショルダー器具である。
【発明の効果】
【０００５】本発明により、傘が身体とー体になるので、風により傘が飛ばされることがなく、炎天下での使用が可能になったため、熱中症になることもない。かつ、体型に合わせた使い方ができる。
【発明を実施するための最良の形態】
【０００６】以下、本案の実施の形態について説明する。
傘差し込み口（１）を中空とし、その先端に傘を固定するための、締めつけリング（２）を設け、下部に、傘の高さを調節するための、傘上下調節（３）を設ける。
そして、上背の高低を調節するために、背丈調節（４）を設け傘の前後の位置を調節するために、前後調節（５）を設ける。
そして、前かがみになっても、背中が器具にあたらないようにするため、背あたり防止アール（９）を設け、転倒したときの障害防止策として、防止アール（１０）を設ける。
器具を身体とー体とするため、肩バンド（６）、腹バンド（７）胸バンド（８）を設ける。
以上の形態による。
【産業上の利用可能性】
【０００７】本発明に係る日傘ショルダー器具は、工業的に量産することが可能であるため、産業上の利用可能性を有する。
【図面の簡単な説明】
【０００８】
【図１】本発明の斜視図である。
【図２】本発明の側面図である。
【符号の説明】
【０００９】１  傘差し込み口              ２  締めつけリング
３  傘上下調節                ４  背丈調節
５  前後調節                  ６  肩バンド
７  腹バンド                  ８  胸バンド
９  背あたり防止アール      １０  防止アール
【図１】
2009165787.tif 000003
【図２】
2009165787.tif 000004
(57)【要約】【課題】  持参した弁当箱に  携帯し忘れやすい爪楊枝の常備を可能にし  又、取り付け取り外しが出来るため  普段の携帯にも利用できる、携帯用つまようじ入付ランチベルトを提供する。【解決手段】  弁当用のゴムベルトの縫い合わせ部分にホックを介して取り付け取り外しが可能な携帯用爪楊枝入れを設けたことを特徴とする携帯用つまようじ入付ランチベルト。【選択図】図１
2009165781.tif 000002
【特許請求の範囲】
【請求項１】
弁当用のゴムベルトの縫い合わせ部分にホックを介して取り付け取り外しが可能な携帯用爪楊枝入れを設けたことを特徴とする携帯用つまようじ入付ランチベルト。
【発明の詳細な説明】
【技術分野】
【０００１】  本発明は弁当用ゴムベルトに携帯用爪楊枝入れを付けたことにより  家庭から持参した弁当等に忘れがちな爪楊枝の携帯が常備でき、爪楊枝入れをホックでベルトに付けているので取り外しが容易で爪楊枝入れだけを携帯することも出来るように工夫された携帯用つまようじ入付ランチベルトに関するものである。
【背景技術】
【０００２】  従来  爪楊枝を携帯する場合は  １本１本紙袋に包装したものがあったので、定期入れに数本入れて持ち歩いていた。
弁当を購入したときは  弁当に付いてくる割り箸に爪楊枝が１本同封されていた。
また  携帯できる爪楊枝入れとして、カード型爪楊枝入れ（特許文献１）、スライド製のマッチ箱の様な箱に爪楊枝を入れて使用する物（特許文献２）、携帯用爪楊枝ケース（特許文献３）、つまようじ入れ（特許文献４）があった。
また  爪楊枝携帯袋を添着した爪楊枝のパッケージ（特許文献５）があった。
【特許文献１】  特許公開２００４−２６７７１１号公報
【特許文献２】  特許公開２０００−９３２８３号公報
【特許文献３】  特許公開平７−２５５５１９号公報
【特許文献４】  実用新案公開平６−６２８７７号公報
【特許文献５】  登録実用新案第３０２４５０８号公報
【発明の開示】
【発明が解決しようとする課題】
【０００３】  そのため  次のような問題点があった。
（イ）個別に包装してある爪楊枝は紙が薄いため  定期入れに入れても破れやすく不衛生で、尖っている先端がつぶれることもある。又、小さいので紛失しやすい。
（ロ）割り箸に同封している爪楊枝は１本なので、歯や口の中の違和感が取りきれないこともある。又最近は経費節約の為か  割り箸の袋の中に爪楊枝自体入ってない場合も増えている。
（ハ）家庭から持参した弁当等を食べる時は  屋内でも屋外でも食べようとする場所まで  余計なものは持たずに移動することが多いため  すぐに使いたいと思った時は手元にないことが多い。
本発明は  以上の問題点を解決しようとするものである。
【課題を解決するための手段】
【０００４】  上記問題点を解決するため本発明は弁当用のゴムベルトの縫い合わせ部分にホックを介して取り付け取り外しが可能な携帯用爪楊枝入れを設けたことを特徴とする携帯用つまようじ入付ランチベルトである。
【発明の効果】
【０００５】  本発明の携帯用爪楊枝入れ部分は底部に軟性ビニール材を巻いた厚紙を敷いているため丈夫で爪楊枝が折れにくく  幅はゴムベルト幅と大体同じなので５本程度収納できる。携帯して利用する場合は結合部分にホックを使用しているので取り外しが容易で  爪楊枝入れ自体薄いので、スーツやＹシャツのポケットにも入り  男性も利用しやすい。
また、持参の弁当箱は  フタのずれ防止に普段からゴムベルトを使用していることが多いので  ゴムベルトに爪楊枝入れがくっ付けていれば、友人同士で弁当を持ち寄って食べる時や  公園等の屋外に弁当を持ち出して食べる時でも  ゴムベルトは付けたまま移動するので、爪楊枝入れもくっ付いたまま移動することになり  爪楊枝をその場で使用できる。また、爪楊枝入れが汚れたときは軽く水洗いできる。
【発明を実施するための最良の形態】
【０００６】以下、本発明の実施の形態を説明する。
（イ）ゴムベルト（１）の縫い合わせ部分（２）にホックのオス（６）を縫いこむ。
（ロ）爪楊枝入れ（３）の底部（１１）にホックのメス（７）を外側に縫いつけ  内部に軟性ビニール材（９）で巻いた厚紙（８）をのせ  布カバー（１０）をする。
（ハ）爪楊枝入れフタ部分（４）が止めれるよう  平状の細いフタ止め紐（５）を袋状側に付ける。
（ニ）爪楊枝が入るよう袋状（１２）に折り返し  底部（１１）の両脇と縫い付ける。
（ホ）フタ部分（４）に軟性ビニール材（９）で巻いた厚紙（８）を付けて底部（１１）からの布で、ぐるりと巻き固定する。
（ヘ）フタ部分（４）はフタ止め紐（５）を通りやすいようフタ部分先端（１３）が徐々に細くなっている。
本発明は以上の構成からなっているので、本発明を使用する時は外食や弁当購入時は携帯用爪楊枝入れ（３）をゴムベルト（１）のホックのオス（６）と携帯用爪楊枝入れ（３）のホックのメス（７）をはずして定期入や財布やバックのポケット等に直接入れて携帯することが出来る。
お弁当箱利用時はゴムベルト（１）のホックのオス（６）と携帯用爪楊枝入れ（３）のホックのメス（７）をくっ付ければ携帯用爪楊枝入れ（３）をゴムベルト（１）に付けて利用できる。ホックはマジックテープでも良い。
いずれにしても  フタが閉められるので、爪楊枝自体は衛生的に使用できる。
【図面の簡単な説明】
【０００７】
【図１】本発明の斜視図
【図２】本発明のゴムの縫い合わせ部分の斜視図
【図３】本発明のホックの取り付け部分を示す図
【図４】本発明の携帯用爪楊枝入れの横断面図
【符号の説明】
【０００８】  １．ゴムベルト
２．ゴムベルト縫い合わせ部分
３．携帯用爪楊枝入れ
４．携帯用爪楊枝入れフタ部分
５．携帯用爪楊枝入れフタ止め平状紐
６．ホック（オス）
７．ホック（メス）
８．厚紙
９．軟性ビニール材
１０．布カバー
１１．携帯用爪楊枝入れ底部
１２．携帯用爪楊枝入れ先端袋状部分
１３．携帯用爪楊枝入れフタ部分先端
【図１】
2009165781.tif 000003
【図２】
2009165781.tif 000004
【図３】
2009165781.tif 000005
【図４】
2009165781.tif 000006
(57)【要約】【課題】    現状のバッテリーを動力・電力源とする電気自動車などは走行等々に使用する積載バッテリーの放電寿命が一番の関心事項である、その為には求められる走行状態に最適な複数駆動源から選択し、消費電力を最適モードにすることによりバッテリー消費を押さえる省エネシステムで、走行距離・時間を伸ばすことを主眼とするシステムで、また電源・駆動源トラブルにも対応出来るバックアップシステムを組み込んでいます。【解決手段】    電気自動車などの複数電力源・動力源を分散することで、求められる走行状態に最適な駆動源を選択して電気自動車を走らせる事で消費動力の省エネ走行を実現する、機種・車種により駆動馬力は選択するのは言うまでもない、駆動バランスはやはり機種・車両重量・前輪、後輪の重量バランス等々により選択され、また想定されるバッテリー・インバター・モータートラブルにも２重電源・駆動源でバッカアップ出来ます。【選択図】  図１
2009089597.tif 000002
【特許請求の範囲】
【請求項１】
電気自動車などの駆動源を複数の駆動源で分散駆動し、車体重量・求められる走行スピード・前・後輪の重量バランス等々を考慮し総駆動容量を決め、例として前輪駆動モーターは駆動容量の約４割分担、後輪駆動モーターは駆動容量の約６割分担し、その逆の前・後輪駆動容量も考慮する分散駆動、低速走行・市街地走行・渋滞時・スタート時・郊外走行・高速道走行・坂道走行・省エネ走行モード等々で求められる走行状態を、複数の駆動源から単独選択・連動組み合わせを自動・手動・非常時を選択する駆動源システムです。
【請求項２】
請求項１の複数駆動源の駆動システム（図１）はエンコーダー（１・２１）付モーター（Ｍ１・Ｍ２、発電機含む）・フライホィール（２・２２）・クラッチ（３・２３）・作動歯車部（４・２４）・ブレーキ（５・２５）・車輪（６・２６）を特徴とするシステムです。
【請求項３】
請求項１の複数駆動源に駆動システム（図１）は前輪用バッテリー（３１）・後輪用バッテリー（４１）・前輪用インバーター（３２）・後輪用インバーター（４２）・前輪モーター（Ｍ１）・後輪モーター（Ｍ２）・コントローラー（５３）の２重バッテリー・２重インバーター・２重モーターを特徴とするバックアップを組み込んだシステムです。
【請求項４】
請求項１の複数駆動源に駆動システムの図  １のフライホィール２・２２とエンコーダー１・２１は駆動源の単独切り替え・複数駆動源の連動時にトルク伝達・走行をショックなくスムーズに行うコントロールシステムの一部です。
【発明の詳細な説明】
【技術分野】
【０００１】
本発明は、電気自動車などの複数駆動源を省エネシステムで最大限走行距離・時間を伸ばすことを目的に、走行モードに応じた図１の小（Ｍ１・前輪用モーター）・中（Ｍ２・後輪用モーター）・大（Ｍ１＋Ｍ２・四駆モーター）動力の複数駆動源を要求される走行状態に合わせて使い分けする事で省エネを計る。
【０００２】
電気自動車などの複数駆動源を分散した事により、駆動源切り替え・連動時をスムーズにショック無く行うシステムを組み込んだ。
【０００３】
電気自動車などの電源・駆動源を分散した事により、バッテリートラブルなどの非常時には残りの正常な電源・駆動源で走行出来るシステムです。
【特許文献１】特開平７−１５８０４（公開日１９９５年１月１７日）。
【背景技術】
【０００４】
電気自動車などの電力源（エネルギー密度比でバッテリーは重量が重い、ガソリン車比較）は駆動源（モーター）との兼ね合いでバッテリーを含む車両重量の制限も有り、いかに省エネで運行・走行するかをシステムとして追求し、バッテリー・駆動源トラブルにも対応出来る信頼性が高いバックアップシステムです。
【発明の開示】
【発明が解決しようとする課題】
【０００５】
本発明は、電気自動車などの複数駆動源を分散し、要求される走行状態に合った駆動源を選択する省エネシステムで最大限走行距離・時間を伸ばすことを主眼とし、また万が一の電源・駆動源トラブル時にも走行が出来る２重電源・２重駆動源のバックアップシステムが組込まれた信頼性の高いシステムです。
【課題を解決するための手段】
【０００６】
電気自動車などのバッテリーによる放電寿命を延ばす為に複数駆動源を分散し、要求される走行状態に合わせた駆動源を選択するが、駆動源の切り替え・連動時に図１のエンコーダー１・２１で同期スピードを探る、フライホィール２・２２で切り替え・連動をスムーズに行い、最良の走行を実現する。
【発明の効果】
【０００７】
電気自動車などの分散駆動により、低速走行・省エネ走行・市街地走行・バッテリー低下の緊急時・渋滞等々の低負荷時には図１の小動力源（Ｍ１）で低消費量モーターを使用する、郊外走行・中速走行・省エネ時の中負荷には中動力源（Ｍ２）で中消費量モーターを使用し、急加速走行・高速道路走行時には大動力源（Ｍ１＋Ｍ２）の低＋中消費量モーターを連動駆動源として使用し、要求される走行モードに合わせた最適省エネ駆動源を組み合わせる事が可能で、そのことでバッテリーの消費量を最適省エネシステムの構成が出来る。
【発明を実施するための最良の形態】
【０００８】
電気自動車などの複数駆動源を分散し、要求される走行状態に合った複数駆動源から自動・手動又は非常時で選択し、その状態に最適な消費電力を追求出来るシステム。
【０００９】
電気自動車などの運転最適システムでは手動の低速走行・中速走行・高速走行モード、自動走行モード、省エネ、非常時走行モードを選択出来る。
【００１０】
電気自動車などの電源・駆動源を２重にする事で非常時に正常な電源・駆動源で走行が可能なバックアップシステムとなっています。
【図面の簡単な説明】
【００１１】
【図１】駆動システムのシステムを示した説明図である。
【符号の説明】
【００１２】
１    前輪モーター付エンコーダー
２    前輪フライホィール
３    前輪クラッチ
４    前輪差動歯車
５    前輪ブレーキ
６    前輪車輪
１１  アクセルペダル
１２  ブレーキペダル
１３  加速度計
１４  傾斜計
２１  後輪モーター付エンコーダー
２２  後輪フライホィール
２３  後輪クラッチ
２４  後輪差動歯車
２５  後輪ブレーキ
２６  後輪車輪
３１  後輪用バッテリー
３２  後輪用インバーター
４１  前輪用バッテリー
４２  前輪用インバーター
５３  コントローラー
Ｍ１  前輪用モーター
Ｍ２  後輪用モーター
【図１】
2009089597.tif 000003
(57)【要約】【目的】本発明は糖尿病、通風、肥満など食事療法のため毎日極度のカロリー制限を受け好きな甘味菓子類を嗜むことが出来ない人々の為に、１個あたり８０ｋｇカロリー以下で、かつ嗜好を妨げることのない、美味しいと感じさせるクッキー及び和洋菓子類の量産を可能にした低カロリー用の複合甘味体の実現を目的とする。【構成】従来カロリー制限を目的に使用される糖類の代表的な還元麦芽糖の使用量に対し、還元麦芽糖の使用量の１割５分以下８分の範囲でカカオ・チョコレートを加え混合攪拌し熟成させることにより得られた新甘味体は、低カロリーを維持しながら旨味が倍増する幾種の低カロリー用の甘味体となることを発見した。この甘味を成分として菓子類を作ると、幾種の低カロリー和洋菓子が量産出来てこの甘味体は低カロリー食品の応用範囲が大きいものと期待される。【特許請求の範囲】
【請求項１】
還元麦芽糖の糖度を変えずして糖質を調節するため、還元麦芽糖の使用量１に対し、１対０．０８〜０．１５の割合の範囲でカカオを混合攪拌し、熟成させることにより得られた低カロリー和洋菓子用の複合甘味体。
【発明の詳細な説明】
【発明の詳細な説明】
【産業上の利用分野】
【０００１】（１）本発明は、現代社会が糖尿病、通風、肥満などの患者のため、各種の食品を作るのに対し、糖度の高い天然甘味料（砂糖など）の使用を避けるか、糖度の低い還元麦芽糖などを代替えとして使用する。また、各種の合成人工甘味料による食品が氾濫しているが、合成人工甘味の副作用については不安を残している。
しかし、嗜好の面からみると人工甘味は不味く、やむえず澱粉から抽出して精製した低糖度の還元麦芽糖が天然カロリーカット甘味料の中心になっている。
【０００２】（２）澱粉から抽出した還元麦芽糖は古来から水飴などの素材として良く知られた天然甘味料の一つであるが、精製砂糖の中で糖度９．８の上白１０グラムに対し、糖度は８．９であり、精製状態の還元麦芽糖の甘味は極めて希薄である。
還元麦芽糖使用の各種食品はカロリーカット食品の目的に合致する低糖度を達成できるも、嗜好の面から甘味が薄くて好まれていない。
本発明は、糖質の改善が可能になると低カロリーの利点と嗜好の幅が広がる新甘味体として、和洋菓子業界並びに各種料理の甘味処方にも応用が出来て、健康産業の分野に於ける応用が拡大されることが期待される。
【背景技術】
【０００３】  従来カロリーカットの食品を作るにあたり天然甘味体を使用するためには、低糖度の還元麦芽糖が主流である。しかし、低カロリーを維持した商品を提供するため還元麦芽糖を単体で使用すると甘味が極端に薄く、今まで嗜好面に欠陥のある食品しか提供できなかった。そのため合成人工甘味を併用したりするが、健康面での問題が残り歓迎されていない。また、糖質の高い天然甘味体を併用すると低カロリーを維持することが出来ず、安定したカロリーカット食品の量産が出来ていない。
【発明が解決しようとする課題】
【０００４】  本発明は天然甘味料として古来より知られる還元麦芽糖の低カロリー度を維持しながら、合成人工甘味料などは使用せず、嗜好面で幅広い支持が得られる糖質の低カロリー用の複合甘味体の実現を課題とする。
【課題を解決するための手段】
【０００５】  還元麦芽糖の甘味改良のため、各種の甘味料を混合して改良する従来の手法を避ける。還元麦芽糖の低カロリーを維持しながら糖質を変える手段を探究した。
【作用】
【０００６】本発明は請求項に示した通り、甘味の希薄な還元麦芽糖がカカオ類と混合攪拌し熟成すると、還元麦芽糖単体の甘味が大きく変化し、それを各種の菓子生地に加えると、今までの還元麦芽糖では得られぬ風味を有し、甘味が希薄と感じさせることのない、１個体が８０ｋｇカロリー以下の菓子類が容易に安定して量産できる作用を認めた。
【実施例】
【０００７】１．クッキー（１個あたり８０ｋｇカロリー以下目標）
複合甘味          ５０．０ｇ  （  ２０．８％）
薄力粉          １００．０ｇ  （  ４１．６％）
バター            ６０．０ｇ  （  ２５．０％）
卵                １５．０ｇ  （    ６．３％）
香料類              ０．５ｇ
水                １５．０ｇ  （    ６．３％）
合計            ２４０．５ｇ  （１００．０％）
２．バターケーキ（１個あたり８０ｋｇカロリー以下目標）
複合甘味          ６１．０ｇ  （  １５．５％）
卵              １１０．０ｇ  （  ２７．９％）
小麦粉          １００．０ｇ  （  ２５．４％）
バター          １００．０ｇ  （  ２５．４％）
チョコレート      ２０．０ｇ  （    ５．１％）
ベーキングパウダー  ３．０ｇ  （    ０．７％）
合計            ３９４．０ｇ  （１００．０％）
【発明の効果】
【０００８】この発明による複合甘味体を使用すると、今までの甘味体では菓子類の低カロリー量産の各種糖分調整が配合上複雑で、各種の低カロリー菓子を量産するのに難儀していたが、この複合甘味体は使用量の調整だけで嗜好性に富む菓子類が容易に量産出来る効果を確認した。
(57)【要約】【課題】植木鉢やプランター等に植裁された植裁物の根腐れを防止することにより、植物の育成を促進することができる植裁用鉢を提供する。【解決手段】植栽用鉢１の下方部の外周壁に多数の通気小孔２を穿設して、該各通気小孔２から前記植裁用鉢１内の下方部に位置する用土３に含水された水分を蒸散させて、該下方部に位置する用土３内の含水率を下げる。【選択図】図２
2009089624.tif 000002
【特許請求の範囲】
【請求項１】
植栽用鉢の下方部の外周壁に多数の通気小孔を穿設したことを特徴とする根腐れを防止する植栽用鉢。
【請求項２】
植栽用鉢の下方部の外周壁に多数の通気小孔を穿設すると共に、該植栽用鉢の内周壁面の前記通気小孔の前面部に、該通気小孔より小径の網目を備えたネットを配設したことを特徴とする根腐れを防止する植栽用鉢。
【発明の詳細な説明】
【技術分野】
【０００１】
本発明は、植採用鉢の下方部の外周壁に多数の通気小孔を穿設して、該各通気小孔から用土の水分を適宜蒸散させることにより、用土の余分な水分を排出して、植栽された植物の根腐れを防止し、植物の育成を促進させる、根腐れを防止する植栽用鉢に関するものである。
【背景技術】
【０００２】
植木鉢やプランター等の植栽鉢の底面には、水抜きのための孔が開孔された構造が一般的である。前記孔が開孔されているので、用土が常に一定の水分を保ちつつ、余分の水分が排出される。これは、排水が悪いと有害菌の繁殖や、老廃物、有害物質等の蓄積が進むこと、また多くの植物は根も呼吸しているので、それが阻害されて、根腐れを起こすこと等から、植物の生育が悪くなるので、それを避けるためのものである。
【０００３】
そして、植栽鉢に植えられた植栽物の根腐れを防止する先行技術につき、過去の特許文献を遡及検索したところ、下記の特許文献１に開示されたものが公知である。
【０００４】
特許文献１に開示されたものは、植栽鉢の内周壁面と用土との間に空調孔を設けた湾曲板を差し込んで空間を形成して、この空間において、植栽鉢内の日光等により温まった熱気および植物の根系の余分な水分を、前記空調孔を介して外部に蒸発させて放出させて、根腐れを防止して、植物の育成を促進させるようにしたものである。
【０００５】
【特許文献１】登録実用新案第３０５９３７２号公報
【発明の開示】
【発明が解決しようとする課題】
【０００６】
しかしながら、植栽業者等の専門家であれば、用土への適度の散水量は把握しているが、花や植木等の植栽物を植栽して楽しむ一般人は、用土への適度の散水量を把握していないので、植栽物を枯らさないために多量の散水をしてしまう場合が多く、そのため植裁用鉢底部の水抜き孔から排水できない余分の水分が用土に残留して、植栽物を根腐させてしまうという課題があった。
【０００７】
また、特許文献１に開示されたものでは、植栽鉢の外に、空調パネルを作成しなければならず、更に前記空調パネルを、植物を植栽した植裁鉢の内周面にいちいち挿入しなければならないので、手間がかかると共に、植栽鉢に植物の外、該空調パネルが挿入されているので外観上、見栄えが悪いという課題があった。
【０００８】
本発明は、前記課題を解決すべくなされたものであって、植栽鉢の下方部周壁に多数の通気小孔を穿設して、該通気小孔を介して用土の余分な水分蒸散させることにより、植裁鉢に植えられた植栽物の根腐れを防止することができる、根腐れを防止する植栽用鉢を提供しようとするものである。
【課題を解決するための手段】
【０００９】
本発明は、植裁用鉢の下方部の外周壁に多数の通気小孔を穿設するという手段、または、
植栽用鉢の下方部の外周壁に多数の通気小孔を穿設すると共に、該植栽用鉢の内周壁面の前記通気小孔の前面部に、該通気小孔より小径の網目を備えたネットを配設するという手段、
を採用することにより、上記課題を解決した。
【発明の効果】
【００１０】
植裁用鉢の下方部の外周壁に多数穿設された通気小孔より、該植栽用鉢の下方位置の用土に含水された水分が蒸散し、該下方位置の用土の含水率を下げることができ、これにより植裁物の根腐れを防止することができる。
【実施例】
【００１１】
本発明の実施例を図面に基づいて詳細に説明するに、本発明根腐れを防止する植栽用鉢は、素焼鉢や陶器鉢の外、プラスチック材、またはプラスチック廃材と廃木材との混合材より成る合成木材等により形成された植木鉢やプランターを含む。
【００１２】
そして、本発明における植栽用鉢としては、前記したように植木鉢とプランターを含むが、本発明においては、説明の便宜上、植木鉢を例に挙げて、これを図示して説明する。
【００１３】
本発明根腐れを防止する植裁用鉢は、図１の全体の斜視図、および図２の使用状態を示す縦断面図で示すように、植裁用鉢１の下方部の外周壁に多数の通気用小孔２を穿設して形成されたものである。
【００１４】
すなわち、本発明植裁用鉢１は、該植裁用鉢１内に入れられた用土３に、水を上方から散水した場合、該水は用土３に含水されながら、底部方向へ徐々に流下して行って、該用土３に含水しきれなかった余分な水は、底壁４に穿設された水抜き孔５より排水される。
【００１５】
一方、前記用土３に含水された水は、経時と共に、該水の重量により徐々に下層の用土３に含水されるというメカニズムを繰返して流下して行くが、当然植裁物６の根７が位置する下層部の用土３の水分がなかなか抜けず、前記根６が用土３中の水分に浸漬されている状態となるが、植栽用鉢１の下方部の外周壁に多数穿設された通気小孔２より、該植裁用鉢１の下方位置の用土３に含水された水分が蒸散し、該下方位置の用土３の含水率を下げることができる。この下方部の用土３の含水率を下げることにより、植栽物６の根腐れを防止することができるのである。
【００１６】
なお、図３は、本発明の他の実施例の使用状態を示す縦断面図であり、植裁用鉢１内の用土３の粒径が小さく、該用土３が通気小孔２から逸泥してしまう虞れがある場合、該通気小孔２の径より小径の網目を備えたネット８を、前記植裁用鉢１の内周壁面の前記通気小孔２の前面部に配設するようにした植栽用鉢である。
【図面の簡単な説明】
【００１７】
【図１】本発明根腐れを防止する植栽用鉢の実施例を示す全体の斜視図である。
【図２】本発明根腐れを防止する植栽用鉢の使用状態を示す縦断面図である。
【図３】本発明根腐れを防止する植栽用鉢の他の実施例の使用状態を示す縦断面図である。
【符号の説明】
【００１８】
１    植裁用鉢
２    通気小孔
３    用土
４    底壁
５    水抜き孔
６    植裁物
７    根
８  ネット
【図１】
2009089624.tif 000003
【図２】
2009089624.tif 000004
【図３】
2009089624.tif 000005
(57)【要約】【課題】熱帯キリンサイを濃青緑色から白色まで原料の色の調整を行い、食感のよい硬さの状態で、酢漬け、酒粕漬けあるいは糠漬けにして、呈味成分の昆布や野菜を加えて加工し、常温で長期間保存できる海藻加工食品。【解決手段】生鮮な熱帯キリンサイ原料を用いることによって濃青緑色の原料、あるいは熱帯キリンサイの原料を天日あるいは温湯にさらして白色化の原料を製造する。原料として冷凍原料や乾燥原料も利用できる。これらの原料を食材用に裁断し、調整された酢、酒粕、糠に呈味成分の砂糖、ミリン、昆布、ミョウガあるいは赤シソの葉を加えて漬けることにより、健康に良い水溶性食物繊維を多く含み、常温保存で保存できる海藻加工食品とする。【選択図】    図１
2009089671.tif 000002
【特許請求の範囲】
【請求項１】
熱帯キリンサイの生鮮原料、冷凍原料あるいは乾燥原料を裁断した加工食品。
【請求項２】
請求項１の原料に呈味や色を整えるための海藻や野菜を加える製造法。
【請求項３】
請求項１および２の製造法として、酢、酒粕漬け叉は糠漬けにして常温で保存する製造法。
【発明の詳細な説明】
【技術分野】
【０００１】
本発明は、日本で食品として利用されていない熱帯産海藻の紅藻キリンサイ（Kappaphycus alvarezii）の生鮮原料、生鮮原料を天日あるいは温湯（約80 ℃）に漬けることにより原料の色を濃青緑色から白色化からまで変化させた加工原料を生産する。冷凍原料や乾燥原料は5 % の海水に漬けて生鮮原料とおなじ水分含量の加工原料とする。これらを一口で食べられる大きさに裁断し呈味成分の昆布や野菜とともに酢漬けや漬け物にして常温で保管できる食物繊維成分の多い健康に良い加工食品の製造方法に関する。    
【背景技術】
【０００２】
熱帯キリンサイ（一般名称コトニー）は熱帯海域に産する海藻であり、フィリピンやハワイ諸島では、湯通し原料を古くからタマネギやトマトなどの野菜と魚介類とまぜてサラダ風料理が一般家庭で食されている。1970年代より、この種は粘質多糖類のカラギーナンの原料として、フィリピン、インドネシアやベトナムなどを中心とした東南アジアの熱帯海域で大量に養殖されている（例えば非特許文献１参照）。
【０００３】
近年、ベトナムや中国では白色にした熱帯キリンサイを肉炒めや清涼食品の素材として利用が行われている。このように熱帯キリンサイは食材としての利用が世界的に普及しつつある（例えば非特許文献２）。しかし、熱帯キリンサイ（和名はない）は、いままで日本では食用にされていない。本発明で製造される加工食品は、世界各地どこでも食されていない。
【非特許文献１】大野正夫  2004. 世界の海藻資源の概観. 大野正夫編有用海藻誌、297-330.内田老鶴圃、東京。
【非特許文献２】筒井功  2003 ベトナムにおける海藻類の生態・生産・利用-沿岸域の生態地域研究-京都大学大学院アジア・アフリカ地域研究科博士論文、247頁、京都大学。
【発明の開示】
【発明が解決しようとする課題】
【０００４】
熱帯キリンサイの原料を濃青緑色から白色まで色の調整を熱処理（天日あるいは温湯）と酸処理（酢漬けなど）で行う。
【０００５】
熱帯キリンサイの生鮮原料、冷凍原料あるいは乾燥原料を裁断した加工品を酢漬け、酒粕あるいは糠漬けにして、呈味成分として昆布や野菜を添加して、常温で長期間保存できる食品加工品。
【課題を解決するための手段】
【０００６】
熱帯キリンサイの原料は、主に日本国内で養殖されたものを天日あるいは約８０℃の温湯に浸すことにより、藻体の緑色から白色までの加工原料を生産する。あるいは生鮮原料を塩漬けや酢漬けによって濃青緑色から赤褐色に調整する（請求項１）。
【０００７】
請求項１の原料は冷凍品や乾燥品を用いることもできるが、主に新鮮な原料を用い昆布、ミヨウガあるいはシソの葉などの呈味ものを加え（請求項２）、酢漬けにして品質の高い製品になることを特徴とする。一口で食することができる２〜３cmの大きさに裁断することにより、良い食感にすることができる。  
【０００８】
４０％から５０％の酢を添加することや酒粕あるいは糠に漬けることにより腐敗をふせぎ常温で保存できる範囲の酸度を保つ加工品とする（請求項３）。
【発明の効果】
【０００９】
この海藻は熱帯性の海藻で、日本人には今まで食されていなかったが、酢漬けや漬け物にすることにより日本人の好みの食材になり、昆布あるいは野菜などを加えることにより、食物繊維の豊富な新しい健康食品として日常的な食材となる。
【発明を実施するための最良の形態】
【００１０】
熱帯キリンサイの原料は、国内で養殖された生鮮原料や冷凍原料を用いるが、原料が不足した場合は、乾燥原料した材料をミヤンマー、フィリピンなどから輸入することもできる。本発明は原料を食材用に裁断して加工される。
【００１１】
原料に添加される材料である酢の濃度、原料と酒粕と糠漬けの混合比や呈味用の昆布と野菜の混合比は、使われる原料の選択や使用目的によって調整をする。
【実施例１】
【００１２】
熱帯キリンサイの生鮮原料は、昆布を入れた液（真水）で５０〜６０ ％の米酢を作り、砂糖や唐辛子を加えたものに約３倍量の熱帯キリンサイ原料を添加する。新鮮な原料は２日間で伸縮するのでさらに原料を加えて加工品を製造する。加工品は常温で保存できる。本発明品は、日本では初めての食品であるが、５０名以上が試食を行い、ほとんどの試食者から高い評価を受けた。
【実施例２】
【００１３】
温度処理あるいは乾燥品の白色化した熱帯キリンサイの原料を、５０〜６０% の酢にミヨウガやシソの葉に、呈味成分の砂糖、ミリンと加えたものに入れることにより赤いキリンサイ漬けとなる。１０数名が試食を行い好評であった。
【実施例３】
【００１４】
熱帯キリンサイの原料を数％の食塩水に10分浸した後に、糠あるいは酒粕12:砂糖4の混合比の材料に、原料と昆布を加えて１０ 日密封した後に食する。１０ 数名の試食者から好評を得た。
【産業上の利用可能性】
【００１５】
熱帯キリンサイは、主に粘質多糖類の原料として利用されてきたが、健康に良い機能性成分の食物繊維が多く含まれており健康食品としての需要はある。日本では全くキリンサイは食用に利用されていないので、新たな食品産業が開拓できる。
【図面の簡単な説明】
【００１６】
【図１】熱帯キリンサイ生鮮原料
【図１】
2009089671.tif 000003